(57)【特許請求の範囲】
【請求項１】
受信装置であって、
前記受信装置と無線による通信の接続を確立している送信装置から画像データを受信する受信部と、
前記送信装置とは異なる送信装置が前記無線による通信の接続を前記受信装置と確立するために必要な設定データに対応する設定画像データと前記画像データとを表示し、表示領域の任意な位置に前記設定画像データを表示可能な表示部と、
前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御部と、
を備えることを特徴とする受信装置。
【請求項２】
前記表示制御部は、前記表示部に前記設定画像データを含むフレームを複数表示させる場合、所定の前記フレームには前記設定画像データを含ませないように前記表示部の表示を制御する
ことを特徴とする請求項１に記載の受信装置。
【請求項３】
前記表示制御部は、前記画像データを表示させる前記表示部の表示領域のうち、一部の前記表示領域上に前記設定画像データを重畳して表示させるように前記表示部の表示を制御する
ことを特徴とする請求項１に記載の受信装置。
【請求項４】
前記表示制御部は、前記表示部に前記設定画像データを含むフレームを表示させる場合、前記設定画像データの一部のみを表示させ、当該フレームとは異なる前記フレームに当該設定画像データの残りの全部または一部を表示させるように前記表示部の表示を制御する
ことを特徴とする請求項１に記載の受信装置。
【請求項５】
請求項１に記載の受信装置が備える前記表示部を撮像する撮像部と、
前記撮像部が撮像したデータから、前記受信装置と無線による通信の接続を確立するために必要な前記設定画像データを特定する特定部と、
前記特定した設定画像データに基づいて前記受信装置と無線による通信の接続を確立する通信部と、
を備えることを特徴とする送信装置。
【請求項６】
前記特定部は、前記撮像部が複数回撮像した複数の前記撮像データに基づいて前記設定画像データを特定する
ことを特徴とする請求項５に記載の送信装置。
【請求項７】
前記特定部は、複数の前記撮像データそれぞれに含まれる前記設定画像データの一部から前記設定画像データを生成して特定する
ことを特徴とする請求項５に記載の送信装置。
【請求項８】
前記表示制御部は、前記表示部に前記設定画像データを含む前記フレームを表示させる場合、直前に表示された前記フレームにおける前記画像データの色配置に基づいて当該設定データの表示領域中の背景色を設定する
ことを特徴とする請求項１に記載の受信装置。
【請求項９】
前記表示制御部は、前記表示部に前記設定画像データを含む前記フレームを表示させる場合、前記設定画像データを重畳する前記画像データの色配置に基づいて前記設定画像データの表示領域の位置、または、大きさを設定する
ことを特徴とする請求項３に記載の受信装置。
【請求項１０】
前記表示制御部は、前記表示部に前記設定画像データを含む前記フレームを表示させる場合、前記設定画像データを重畳する前記画像データの周波数成分の情報に基づいて前記設定画像データの表示領域の位置、または、大きさを設定する
ことを特徴とする請求項３に記載の受信装置。
【請求項１１】
受信装置であって、
前記受信装置と無線による通信の接続を確立している送信装置から画像データを受信する受信部と、
前記送信装置とは異なる送信装置が前記無線による通信の接続を前記受信装置と確立するために必要な設定データに対応する設定画像データと前記画像データとを表示し、表示領域の任意な位置に前記設定画像データを表示可能な表示部と、
前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御部と、
を備える受信装置と、
前記受信装置が備える前記表示部を撮像する撮像部と、
前記撮像部が撮像したデータから、前記受信装置と無線による通信の接続を確立するために必要な前記設定画像データを特定する特定部と、
前記特定した設定画像データに基づいて前記受信装置と無線による通信の接続を確立する通信部と、
を備える送信装置と、
を含むことを特徴とする送受信システム。
【請求項１２】
受信装置と無線による通信の接続を確立している送信装置から画像データを受信する受信ステップと、
前記送信装置とは異なる送信装置が前記無線による通信の接続を前記受信装置と確立するために必要な設定データに対応する設定画像データと前記画像データとを表示部に表示し、前記表示部の表示領域の任意な位置に前記設定画像データを表示可能な表示ステップと、
前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御ステップと、
を含むことを特徴とする受信方法。
【請求項１３】
請求項１に記載の受信装置が備える前記表示部を撮像する撮像ステップと、
前記撮像ステップで撮像したデータから、前記受信装置と無線による通信の接続を確立するために必要な前記設定データに対応する設定画像データを特定する特定ステップと、
前記特定した設定画像データに基づいて前記受信装置と無線による通信の接続を確立する通信ステップと、
を含むことを特徴とする送信方法。
【請求項１４】
受信装置と無線による通信の接続を確立している送信装置から画像データを受信する受信ステップと、
前記送信装置とは異なる送信装置が前記無線による通信の接続を前記受信装置と確立するために必要な設定データに対応する設定画像データと前記画像データとを表示部に表示し、前記表示部の表示領域の任意な位置に前記設定画像データを表示可能な表示ステップと、
前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御ステップと、
をコンピュータに実行させるためのプログラム。
【請求項１５】
請求項１に記載の受信装置が備える前記表示部を撮像する撮像ステップと、
前記撮像ステップで撮像したデータから、前記受信装置と無線による通信の接続を確立するために必要な前記設定データに対応する設定画像データを特定する特定ステップと、
前記特定した設定データに基づいて前記受信装置と無線による通信の接続を確立する通信ステップと、
をコンピュータに実行させるためのプログラム。
【発明の詳細な説明】
【技術分野】
【０００１】
本発明は、受信装置、送信装置、送受信システム、受信方法、送信方法およびプログラムに関する。
【背景技術】
【０００２】
複数の送信装置と複数の受信装置との間の通信経路を無線化し、送信装置と受信装置との通信の接続を切り替えることができる無線通信システムが知られている。また、このような無線通信システムにおいて、例えば、受信装置Ａと接続する送信装置を、送信装置Ａから送信装置Ｂに変更するという無線接続設定の変更が頻繁に実施されるような場合、受信装置Ａと送信装置Ａとの接続を切断し、受信装置Ａを接続設定状態にしてから、送信装置Ｂとの再接続を行うといった、ユーザ自身が行う操作を極力省くことが望ましい。
【０００３】
また、所望の機器と無線接続を簡単かつ確実にするため、たとえば、受信装置が、接続情報を含む２次元コードを表示部に表示し、送信装置が、この２次元コードを撮像して復号することで接続情報を取得し、取得した接続情報に基づいて受信装置と通信の接続を確立する方法が知られている（例えば、特許文献１参照）。
【先行技術文献】
【特許文献】
【０００４】
【特許文献１】特開２００９−２９６２３９号公報
【発明の概要】
【発明が解決しようとする課題】
【０００５】
しかしながら、受信装置が２次元コードを表示部に表示する場合、表示部に２次元コードを表示するための表示領域が必要になる、または、表示部に表示している画像等に２次元コードを重畳して表示する必要がある。そのため、表示部に画像等を表示することができる表示領域を減少させてしまうという問題がある。
【０００６】
図１７は、従来知られている、２次元コードを表示するための領域として無線設定情報表示領域を設けた場合における表示部の表示例を示した概略図である。図示するように、表示部１７００に２次元コードを表示するための領域として無線設定情報表示領域１７０１を設けた場合、画像表示領域１７０２として使用することができない使用不可領域１７０３が生じてしまう問題がある。また、図１８は、従来知られている、画像表示領域に表示している画像等に２次元コードを重畳して表示する場合における表示部の表示例を示した概略図である。図示するように、表示部１８００の画像表示領域１８０１に表示している画像等に２次元コードを重畳して表示する場合、２次元コードを表示した無線設定情報表示領域１８０２には、画像を表示することができないという問題がある。
【０００７】
また、無線設定情報をシールに印字して筺体に貼付する方法、または筐体に無線設定情報を印字する方法は、無線ネットワークを構成するための設定情報が固定であり、フレキシビリティに欠ける。このため、無線ネットワークの環境が頻繁に変わる状況には適していない。
【０００８】
本発明は、上記の問題を解決するためになされたものであり、表示部の表示領域を減らすことなく、簡単に無線接続の切り替えを行うことができる受信装置、送信装置、送受信システム、受信方法、送信方法およびプログラムを提供することを目的とする。
【課題を解決するための手段】
【０００９】
本発明は、受信装置の発明であって、無線による通信の接続を確立している送信装置から画像データを受信する受信部と、前記送信装置とは異なる送信装置が前記無線による通信の接続を前記受信装置と確立するために必要な設定データに対応する設定画像データと前記画像データとを表示し、表示領域の任意な位置に前記設定画像データを表示可能な表示部と、前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御部と、を備えることを特徴とする受信装置である。
【００１０】
また、本発明の受信装置において、前記表示制御部は、前記表示部に前記設定画像データを含むフレームを複数表示させる場合、所定の前記フレームには前記設定画像データを含ませないように前記表示部の表示を制御することを特徴とする。
【００１１】
また、本発明の受信装置において、前記表示制御部は、前記画像データを表示させる前記表示部の表示領域のうち、一部の前記表示領域上に前記設定画像データを重畳して表示させるように前記表示部の表示を制御することを特徴とする。
【００１３】
また、本発明の受信装置において、前記表示制御部は、前記表示部に前記設定画像データを含むフレームを表示させる場合、前記設定画像データの一部のみを表示させ、当該フレームとは異なる前記フレームに当該設定画像データの残りの全部または一部を表示させるように前記表示部の表示を制御することを特徴とする。
【００１４】
また、本発明は、受信装置が備える前記表示部を撮像する撮像部と、前記撮像部が撮像したデータから、前記受信装置と無線による通信の接続を確立するために必要な前記設定画像データを特定する特定部と、前記特定した設定画像データに基づいて前記受信装置と無線による通信の接続を確立する通信部と、を備えることを特徴とする送信装置である。
【００１５】
また、本発明の送信装置において、前記特定部は、前記撮像部が複数回撮像した複数の前記撮像データに基づいて前記設定画像データを特定することを特徴とする。
【００１６】
また、本発明の送信装置において、前記特定部は、複数の前記撮像データそれぞれに含まれる前記設定画像データの一部から前記設定画像データを生成して特定することを特徴とする。
【００１７】
また、本発明の受信装置において、前記表示制御部は、前記表示部に前記設定画像データを含む前記フレームを表示させる場合、直前に表示された前記フレームにおける前記画像データの色配置に基づいて当該設定データの表示領域中の背景色を設定することを特徴とする。
【００１８】
また、本発明の受信装置において、前記表示制御部は、前記表示部に前記設定画像データを含む前記フレームを表示させる場合、前記設定画像データを重畳する前記画像データの色配置に基づいて前記設定画像データの表示領域の位置、または、大きさを設定することを特徴とする。
【００１９】
また、本発明の受信装置において、前記表示制御部は、前記表示部に前記設定画像データを含む前記フレームを表示させる場合、前記設定画像データを重畳する前記画像データの周波数成分の情報に基づいて前記設定画像データの表示領域の位置、または、大きさを設定することを特徴とする。
また、本発明は、受信装置であって、前記受信装置と無線による通信の接続を確立している送信装置から画像データを受信する受信部と、前記送信装置とは異なる送信装置が前記無線による通信の接続を前記受信装置と確立するために必要な設定データに対応する設定画像データと前記画像データとを表示し、表示領域の任意な位置に前記設定画像データを表示可能な表示部と、前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御部と、を備える受信装置と、前記受信装置が備える前記表示部を撮像する撮像部と、前記撮像部が撮像したデータから、前記受信装置と無線による通信の接続を確立するために必要な前記設定画像データを特定する特定部と、前記特定した設定画像データに基づいて前記受信装置と無線による通信の接続を確立する通信部と、を備える送信装置と、を含むことを特徴とする送受信システムである。
また、本発明は、受信装置と無線による通信の接続を確立している送信装置から画像データを受信する受信ステップと、前記送信装置とは異なる送信装置が前記無線による通信の接続を前記受信装置と確立するために必要な設定データに対応する設定画像データと前記画像データとを表示部に表示し、前記表示部の表示領域の任意な位置に前記設定画像データを表示可能な表示ステップと、前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御ステップと、を含むことを特徴とする受信方法である。
また、本発明は、受信装置が備える前記表示部を撮像する撮像ステップと、前記撮像ステップで撮像したデータから、前記受信装置と無線による通信の接続を確立するために必要な前記設定データに対応する設定画像データを特定する特定ステップと、前記特定した設定画像データに基づいて前記受信装置と無線による通信の接続を確立する通信ステップと、を含むことを特徴とする送信方法である。
また、本発明は、受信装置と無線による通信の接続を確立している送信装置から画像データを受信する受信ステップと、前記送信装置とは異なる送信装置が前記無線による通信の接続を前記受信装置と確立するために必要な設定データに対応する設定画像データと前記画像データとを表示部に表示し、前記表示部の表示領域の任意な位置に前記設定画像データを表示可能な表示ステップと、前記設定画像データを含むフレームの前後に表示するフレームでは、当該設定画像データを表示する前記表示部の表示領域と同じ表示領域に前記画像データを表示するように前記表示部の表示を制御するとともに、前記表示部に前記設定画像データを含むフレームを表示させる場合、前記設定画像データが直前に表示された前記表示部の表示領域とは異なる前記表示領域に前記設定画像データを表示させるように前記表示部の表示を制御する表示制御ステップと、をコンピュータに実行させるためのプログラムである。
また、本発明は、受信装置が備える前記表示部を撮像する撮像ステップと、前記撮像ステップで撮像したデータから、前記受信装置と無線による通信の接続を確立するために必要な前記設定データに対応する設定画像データを特定する特定ステップと、前記特定した設定データに基づいて前記受信装置と無線による通信の接続を確立する通信ステップと、をコンピュータに実行させるためのプログラムである。
【発明の効果】
【００２０】
本発明の受信装置によれば、受信部は、無線による通信の接続を確立している送信装置から画像データを受信する。また、表示部は、無線による通信の接続を自装置と確立するために必要な設定データと、画像データとを表示する。また、表示制御部は、設定データを含むフレームの前後に表示するフレームでは、当該設定データを表示する表示部の表示領域と同じ表示領域に画像データを表示するように表示部の表示を制御する。これにより、２フレーム以上連続して同じ表示領域に設定データが表示されることが無くなるため、ユーザに設定データを認識させることなく、設定データを表示することができる。従って、表示部の表示領域を減らすことなく、簡単に無線接続の切り替えを行うことができる。
【００２１】
また、本発明の送信装置によれば、撮像部は、設定データを含むフレームの前後に表示するフレームでは、当該設定データを表示する表示部の表示領域と同じ表示領域に画像データを表示するように表示部の表示を制御する受信装置が備える表示部を撮像する。また、特定部は、撮像部が撮像したデータから、受信装置と無線による通信の接続を確立するために必要な設定データを特定する。また、通信部は、記特定した設定データに基づいて前記受信装置と無線による通信の接続を確立する。従って、受信装置の表示部の表示領域を減らすことなく、簡単に無線接続の切り替えを行うことができる。
【図面の簡単な説明】
【００２２】
【図１】本発明の第１の実施の形態における送受信システムの構成を示した概略図である。
【図２】本発明の第１の実施の形態における送信装置の構成を示したブロック図である。
【図３】本発明の第１の実施の形態における受信装置の構成を示したブロック図である。
【図４】本発明の第１の実施の形態における無線設定情報フレームの例を示した概略図である。
【図５】本発明の第１の実施の形態において、無線設定情報画像を表示部に表示する手順を示したフローチャートである。
【図６】本発明の第１の実施の形態における受信装置の接続処理の手順を示したフローチャートである。
【図７】本発明の第１の実施の形態における送信装置の動作手順を示したフローチャートである。
【図８】本発明の第１の実施の形態における送信装置の接続処理の手順を示したフローチャートである。
【図９】本発明の第１の実施の形態において、無線設定情報画像の文字色および背景色の例を示した概略図である。
【図１０】本発明の第２の実施の形態において、受信装置が表示する、無線設定情報画像を合成した合成画像フレームの例を示した概略図である。
【図１１】本発明の第２の実施の形態において、受信装置が表示する、画像フレームの輝度に応じた無線設定情報画像の表示例を示した概略図である。
【図１２】本発明の第２の実施の形態において、無線設定情報画像を表示部に表示する手順を示したフローチャートである。
【図１３】本発明の第３の実施の形態において、受信装置が表示する、分割無線設定情報画像を合成した分割合成画像フレームの例を示した概略図である。
【図１４】本発明の第３の実施の形態において、送信装置が再構成した設定情報画像の例を示した概略図である。
【図１５】本発明の第３の実施の形態において、無線設定情報を表示部に表示する手順を示したフローチャートである。
【図１６】本発明の第３の実施の形態における送信装置の動作手順を示したフローチャートである。
【図１７】従来知られている、２次元コードを表示するための領域として無線設定情報表示領域を設けた場合における表示部の表示例を示した概略図である。
【図１８】従来知られている、画像表示領域に表示している画像等に重畳して常に２次元コードを表示する場合における表示部の表示例を示した概略図である。
【発明を実施するための形態】
【００２３】
（第１の実施の形態）
以下、本発明の第１の実施形態について図を参照しながら説明する。図１は、本実施形態における送受信システムの構成を示した概略図である。送受信システム１は、複数の送信装置１０（１０−１，１０−２）と受信装置２０とを備えている。送信装置１０は、画像を撮像し、撮像した画像データを接続先の受信装置２０に送信する。受信装置２０は、送信された画像データに基づいた画像を表示部に表示する。
【００２４】
複数の送信装置１０と受信装置２０との間の通信経路は無線であり、受信装置２０と通信を行う送信装置１０を切り替えることができる。図示する例は、送信装置１０−１と受信装置２０とが無線による通信の接続を確立しており、送信装置１０−１から受信装置２０に画像データを伝送し、受信装置２０は、受信した画像データを表示している際に、受信装置２０と通信を行う送信装置１０を、送信装置１０−１から送信装置１０−２に切り替える例を示している。なお、受信装置２０と通信を行う送信装置１０の切り替え方法については後述する。
【００２５】
次に、送信装置１０の構成について説明する。図２は、本実施形態における送信装置１０の構成を示したブロック図である。図示する例では、送信装置１０は、撮像部１１と、画像処理部１２と、記憶部１３と、制御部１４と、有線通信部１５と、無線通信部１６（通信部）と、操作部１７とを備える。また、画像処理部１２は、設定情報抽出部１２１（特定部）を備える。なお、送信装置１０は、表示制御部１０１と表示部１０２とを備えていてもよい。表示制御部１０１と表示部１０２とは、後述する受信装置２０が備える各部と同様である。
【００２６】
撮像部１１は光学系と、撮像素子（例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ）と、Ａ／Ｄ変換器とを備える。撮像部１１は、被写体を撮像し、被写体の光学像をデジタル信号に変換する。画像処理部１２は、撮像部１１が変換したデジタル信号から画像データを生成し、生成した画像データの画像処理を行う。設定情報抽出部１２１は、画像データに無線設定情報（設定データ）が含まれているか否かを判定し、無線設定情報が含まれている場合には、その無線設定情報を抽出する。記憶部１３は、プログラムや各種データを記憶する。制御部１４は、送信装置１０が備える各部の制御を行う。有線通信部１５は、有線接続によって外部機器とデータの送受信を行う。無線通信部１６は、無線接続によって、受信装置２０と画像データや制御データ等の送受信を行う。操作部１７は、ユーザが操作可能なボタンやレバーを備え、ユーザから指示の入力を受け付ける。
【００２７】
次に、受信装置２０の構成について説明する。図３は、本実施形態における受信装置２０の構成を示したブロック図である。図示する例では、受信装置２０は、無線通信部２１と、表示部２２と、表示制御部２３と、記憶部２４と、制御部２５と、画像処理部２６と、操作部２７と、有線通信部２８とを備える。また、表示制御部２３は、設定情報合成部２３１を備える。なお、受信装置２０は、撮像部２０１を備えていてもよい。撮像部２０１は、送信装置１０が備える撮像部１１と同様である。
【００２８】
無線通信部２１は、無線による通信の接続を確立することによって、送信装置１０と画像データや制御データ等の送受信を行う。表示部２２は画像等を表示する。表示制御部２３は、表示部２２に表示する画像を生成し、表示部２２の表示を制御する。設定情報合成部２３１は、無線設定情報（設定データ）を無線設定情報画像に変換し、生成した無線設定情報画像を含む無線設定情報フレーム（動画フレーム）を生成する。記憶部２４は、プログラムや無線設定情報などの各種データを記憶する。制御部２５は、受信装置２０が備える各部の制御を行う。画像処理部２６は画像処理を行う。操作部２７は、ユーザが操作可能なボタンやレバーを備え、ユーザから指示の入力を受け付ける。有線通信部２８は、有線による通信の接続を確立することによって外部機器とデータの送受信を行う。
【００２９】
なお、図２および図３を参照して送信装置１０と受信装置２０との構成について説明したが、上述したように、送信装置１０が表示制御部１０１と表示部１０２とを有してもよいし、受信装置２０が撮像部２０１を有してもよい。例えば、デジタルカメラのような撮像部も表示部も有するデバイスが、無線通信でデータ送受信を行う場合、送信装置にも受信装置にもなりうる（図２、図３の破線部を参照）。
【００３０】
次に、送信装置１０が、撮像した画像を受信装置２０に無線通信を用いて送信し、受信装置２０が、送信された画像を受信して表示部２２に表示させる手順について説明する。
【００３１】
送信装置１０の撮像部１１の出力であるデジタル信号に対して画像処理部１２によって画像処理が行われて生成された画像データは、記憶部１３に記憶される。記憶部１３に記憶された画像データは、制御部１４によって所定の大きさのパケットに分割されたあと、無線通信部１６に入力される。無線通信部１６は、通信制御を行うベースバンド部と、アンテナを含む高周波部とを備える。無線通信部１６に入力されたパケットは、アンテナから電波として空間に放射される。
【００３２】
受信装置２０の無線受信部２１は、アンテナと、高周波部と、ベースバンド部とを備え、電波として空間に放射されたパケットを、アンテナを経由して高周波部で受信する。受信されたパケットは、高周波部で復調され、ベースバンド部で処理される。ベースバンド部で処理されたパケットは記憶部２４に記憶される。制御部２５は、記憶部２４に記憶されているパケットを再構成して画像データを生成する。制御部２５が生成した画像データは、画像処理部２６によってエッジ強調やノイズ除去などの画像処理が行われる。画像処理された画像データは、表示制御部２３によって表示部２２に表示可能な画像データとなる。表示部２２は、表示可能なデータとなった画像データを表示する。なお、表示部２２に表示される画像データは、たとえば１／６０秒ごとに更新される。また、画像データの表示方式としては、１フレームを偶奇ラインごとに交互に表示するインターレース方式と、１フレームで全画像を表示するプログレッシブ方式（ノンインターレース方式）とがあるが、本発明ではどちらの表示方式であっても適用可能なため、特に規定していない。
【００３３】
次に、送信装置１０と受信装置２０との間の無線による通信の接続を確立する方法について説明する。本実施形態では、受信装置２０は、人間の目では認識が困難であると思われる間隔、かつ送信装置１０では撮像することができる間隔で、無線設定情報を含んだ無線設定情報画像を表示部２２に表示する。無線設定情報は、送信装置１０が受信装置２０と無線による通信の接続を確立するために必要な情報を含んだ情報である。例えば、無線設定情報は、無線アドレス（ＭＡＣアドレス）と、無線チャネル（使用周波数）と、ネットワークＩＤとを含む。なお、無線設定情報には暗号化に用いるキーが含まれる場合もある。また、無線設定情報画像は、無線設定情報を画像形式としたものであり、文字（テキスト）をそのまま画像形式としたものや、２次元コード形式としたものなど、送信装置１０が読み取ることができる形式であればどのような形式であってもよい。
【００３４】
図４は、本実施形態における無線設定情報画像を含んだ無線設定情報フレームの例を示した概略図である。図示する例では、無線設定情報フレームは、四隅に無線設定情報画像が含まれていることを示す記号「＋」４０１が表示されており、中央に無線設定情報画像４０２が表示されている。無線設定情報画像４０２には「モニタ名  ：ＡＡ製ＢＢＢＢ」「ＭＡＣアドレス  ：１２３４５６７８」「チャネル  ：１」「ネットワークＩＤ  ：ＣＤＥＦ」が含まれている。なお、図示する例では、無線設定情報画像が含まれていることを明示するために四隅に記号「＋」４０１を明示しているが、記号「＋」４０１に限らず、無線設定情報画像が含まれていることを示すものであればどのようなものでもよい。
【００３５】
受信装置２０が表示部２２に画像（動画像）を表示する際のフレームレートは、例えば６０ｆｐｓであるとする。この場合、表示部２２は、１／６０秒（１６ｍｓ）毎にフレームを表示することで動画像の表示を行う。また、映像情報メディア学会誌Ｖｏｌ．  ５８，  Ｎｏ．  ８，  ｐｐ．  １１５１〜１１５６  （２００４））に記載されているように、人間の視覚に関する時間解像度は、一概には言えないがせいぜい６０Ｈｚ程度である。つまり、無線設定情報を１６ｍｓ程度以下の間に表示すれば人間の目で認識することが困難であると思われる。そのため、表示部２２が動画像を表示している間に、図４に示した無線設定情報フレームを６０フレーム中１フレームのみ表示した場合、ユーザは、無線設定情報画像を認識することができず、動画像のみ認識することになる。なお、映画館のような周囲が暗い場所においては、フレームレートが２４ｆｐｓ（２４Ｈｚ、約４０ｍｓ毎にフレームを表示）程度でも、人間の目では１フレームのみに表示された画像を認識できないこともある。
【００３６】
次に、受信装置２０が、送信装置１０−１から送信される画像データを表示部２２に表示している際に、無線設定情報を表示部２２に表示する手順について説明する。以下、送信装置１０−１と受信装置２０とが無線による通信の接続を確立しており、送信装置１０−１から受信装置２０に画像データを伝送し、受信装置２０は、受信した画像データを表示部２２に表示している際に、受信装置２０と通信を行う送信装置１０を、送信装置１０−１から送信装置１０−２に切り替える例を用いて説明する。
【００３７】
図５は、本実施形態における受信装置２０が、送信装置１０−１から送信される画像データを表示部２２に表示している際に、無線設定情報画像を表示部２２に表示する手順を示したフローチャートである。なお、図示する例は、受信装置２０が、１／６０秒毎にフレームを表示する例（フレームレートが６０ｆｐｓである例）を示している。
【００３８】
（ステップＳ１０１）受信装置２０の制御部２５は、記憶部２４が記憶する無線設定情報を読み出す。その後、ステップＳ１０２の処理に進む。
（ステップＳ１０２）表示制御部２３の設定情報合成部２３１は、ステップＳ１０１で制御部２５が読み出した無線設定情報を無線設定情報画像に変換する。続いて、設定情報合成部２３１は、無線設定情報画像を含む無線設定情報フレームを生成する。その後、ステップＳ１０３の処理に進む。
（ステップＳ１０３）表示制御部２３は、画像フレームカウントをＮ＝０とする。その後、ステップＳ１０４の処理に進む。
【００３９】
（ステップＳ１０４）表示制御部２３は、ステップＳ１０２で生成した無線設定情報フレームを表示部２２に表示させる。その後、ステップＳ１０５の処理に進む。
（ステップＳ１０５）無線通信部２１はデータ受信を行う。その後、ステップＳ１０６の処理に進む。
（ステップＳ１０６）制御部２５は、ステップＳ１０５で無線通信部２１が受信したデータが接続要求信号であるか否かを判定する。無線通信部２１が受信したデータが接続要求信号であると制御部２５が判定した場合（すなわち、接続要求パケットであり、送信装置のアドレス、後述する設定方法で取得した受信装置のアドレスなどが含まれている場合）にはステップＳ１０７の処理に進み、それ以外の場合にはステップＳ１０８の処理に進む。
【００４０】
（ステップＳ１０７）制御部２５は接続処理を行う。接続処理については後述する。その後、ステップＳ１１０の処理に進む。
（ステップＳ１０８）表示制御部２３は、画像フレームカウントをＮ＝Ｎ＋１とする。その後、ステップＳ１０９の処理に進む。
（ステップＳ１０９）表示制御部２３は、ステップＳ１０５で受信したデータに基づいて、画像フレームを表示する。その後、ステップＳ１１０の処理に進む。
（ステップＳ１１０）表示制御部２３は、Ｎが５９であるか否かを判定する。Ｎが５９であると表示制御部２３が判定した場合にはステップＳ１０３の処理に戻り、それ以外の場合にはステップＳ１０５の処理に戻る。
【００４１】
次に、受信装置２０の接続処理の手順について説明する。図６は、本実施形態における受信装置２０の接続処理の手順を示したフローチャートである。
【００４２】
（ステップＳ２０１）制御部２５は、接続要求を送信した送信装置１０とは異なる機器と無線による通信の接続を確立しているか否かを判定する。接続要求を送信した送信装置１０とは異なる機器と無線による通信の接続を確立していると制御部２５が判定した場合にはステップＳ２０２の処理に進み、それ以外の場合にはステップＳ２０３の処理に進む。
（ステップＳ２０２）制御部２５は、無線通信部２１を介して、無線による通信の接続を確立している機器に対して接続を切断する切断コマンドを送信し、この機器との間の無線による通信の接続を切断する。その後、ステップＳ２０３の処理に進む。
（ステップＳ２０３）制御部２５は、接続要求を送信した送信装置１０に対して、無線による通信の接続を開始するコマンドである接続要求レスポンスを送信する。これにより、受信装置２０と、接続要求を送信した送信装置１０との間の無線による通信の接続が確立される。その後、処理を終了する。
【００４３】
上述したステップＳ１０１〜ステップＳ１１０およびステップＳ２０１〜ステップＳ２０３の処理により、受信装置２０は、無線設定情報フレームを１フレーム表示した後、画像フレームを５９フレーム表示する。また、受信装置２０は、接続要求信号を送信した送信装置１０と無線による通信の接続を確立することができる。
【００４４】
次に、受信装置２０に、新たに接続させる送信装置１０の動作手順について説明する。図７は、本実施形態において、受信装置２０に、新たに接続させる送信装置１０の動作手順を示したフローチャートである。なお、ユーザは、受信装置２０に、新たに送信装置１０を接続させる場合、この送信装置１０の操作部１７を操作し、送信装置１０の動作モードを無線接続設定モードに切り替える。また、ユーザが初めて受信装置２０を使用する場合、送信装置１０の動作モードが自動的に無線接続設定モードに変更されるようにしてもよい。
【００４５】
（ステップＳ３０１）送信装置１０の制御部１４は、動作モードが無線接続設定モードであるか否かを判定する。動作モードが無線接続設定モードであると制御部１４が判定した場合にはステップＳ３０２の処理に進み、それ以外の場合にはステップＳ３０１の処理を再度実行する。設定モードではないとき、スタンバイ状態に入ってもよいし、既に記憶部に設定情報があれば、その情報に基づき接続処理を行っても良い。
（ステップＳ３０２）ユーザは、送信装置１０の撮像部１１を、接続先の受信装置２０の表示部２２に対向させる。撮像部１１は、受信装置２０の表示部２２の画像を撮像し、被写体の光学像をデジタル信号に変換する。画像処理部１２は、撮像部が変換したデジタル信号から画像データを生成し、生成した画像データの画像処理を行う。その後、ステップＳ３０３の処理に進む。なお、送信装置１０は、受信装置２０が動画像を表示するフレームレート以上のフレームレートで受信装置２０の表示部２２の画像を撮像する。例えば、受信装置２０が動画像を表示するフレームレートが６０ｆｐｓの場合、送信装置１０は、６０ｆｐｓ以上のフレームレートで受信装置２０の表示部２２の画像を撮像する。
【００４６】
（ステップＳ３０３）画像処理部１２の設定情報抽出部１２１は、ステップＳ３０２で生成した画像データに無線設定情報画像が含まれているか否かを判定する。ステップＳ３０２で生成した画像データに、無線設定情報画像が含まれていると設定情報抽出部１２１が判定した場合にはステップＳ３０４の処理に進み、それ以外の場合にはステップＳ３０２の処理に戻る。具体的には、無線設定情報画像が含まれているフレームには、無線設定情報画像が含まれていることを示す記号（例えば「＋」記号）が所定位置に表示されているため、設定情報抽出部１２１は、画像走査などによって無線設定情報が含まれていることを示す記号の有無を検出する。そして、設定情報抽出部１２１は、無線設定情報が含まれていることを示す記号を検出した場合、当該画像データには無線設定情報画像が含まれていると判定する。
【００４７】
（ステップＳ３０４）設定情報抽出部１２１は、ステップＳ３０２で生成した画像データから無線設定情報を抽出する。その後、ステップＳ３０５の処理に進む。具体的な抽出方法としては、例えば、無線設定情報画像が文字をそのまま画像形式にしたものである場合には、文字認識処理を用いて無線設定情報を抽出する。
（ステップＳ３０５）制御部１４は、ステップＳ３０４で設定情報抽出部１２１が抽出した無線設定情報を記憶部１３に記憶させる。その後、ステップＳ３０６の処理に進む。
（ステップＳ３０６）制御部１４は接続処理を行う。接続処理については後述する。その後、処理を終了する。
【００４８】
次に、送信装置１０の接続処理の手順について説明する。図８は、本実施形態における送信装置１０の接続処理の手順を示したフローチャートである。
【００４９】
（ステップＳ４０１）制御部１４は、記憶部１３が記憶している無線設定情報で一意に特定（例えばＭＡＣアドレスで特定）される受信装置２０に、無線通信部１５を介して接続要求信号を送信する。その後、ステップＳ４０２の処理に進む。
（ステップＳ４０２）制御部１４は、受信装置２０から送信される接続要求レスポンスを無線通信部１５が受信したか否かを判定する。受信装置２０から送信される接続要求レスポンスを無線通信部１５が受信したと制御部１４が判定した場合にはステップＳ４０３の処理に進み、それ以外の場合にはステップＳ４０４の処理に進む。
（ステップＳ４０３）制御部１４は、受信装置２０と無線による通信の接続を確立する。その後、処理を終了する。
（ステップＳ４０４）制御部１４は、接続処理を開始してから所定の時間が経過したか否かを判定する（タイムアウトか否かを判定する）。接続処理を開始してから所定の時間が経過したと制御部１４が判定した場合には処理を終了し、それ以外の場合にはステップＳ４０１の処理に戻る。
【００５０】
上述したステップＳ３０１〜ステップＳ３０６およびステップＳ４０１〜４０４の処理により、送信装置１０は、受信装置２０と無線による通信の接続を確立することができる。
【００５１】
上述したとおり、本実施形態によれば、受信装置２０は、無線設定情報画像が含まれている無線設定情報フレームを画像データフレーム間に挿入することで、ユーザに無線設定情報画像を認識させることなく、通常の画像データが表示されているように見せつつ、無線設定情報を表示することができる。これにより、受信装置２０は、表示部２２の表示領域を無駄にすることなく、送信装置１０と受信装置２０と無線による通信の接続を確立するために必要な情報を含んだ無線設定情報を表示することができる。また、送信装置１０は、受信装置２０の表示部２２を撮像するだけで無線設定情報を取得することができるため、ユーザは、送信装置１０の撮像部１１を受信装置２０の表示部２２に対向させて、撮像部１１に表示部２２を撮像させるだけで、簡単かつ確実に送信装置１０と受信装置２０との無線通信の設定を行うことができる。
【００５２】
なお、無線設定情報画像の背景色については、「無線設定情報画像を含むフレーム」の無線設定情報画像を表示する領域と同じ領域の「直前の表示フレーム」における画像データの色に基づいて、設定情報合成部２３１が設定するようにしてもよい。図９は、本実施形態において、無線設定情報画像の文字色および背景色の例を示した概略図である。図示する例では、無線設定情報を表す文字９０１自体の色を黒とし、文字９０１の周囲数ピクセルの領域９０２の色を白とし、それ以外の領域９０３（無線設定情報画像の背景色）を、直前の表示フレームの同じ領域にあたる背景色と同系の色としている。例えば、「無線設定情報画像を含むフレーム」の「直前に表示するフレーム」の画像データが草原の画像を表示するデータであって、無線設定情報画像を表示する領域と同じ領域の色が緑色である場合、無線設定情報画像の背景色を緑色とする。これにより、受信装置２０は、表示部２２に、よりユーザの視覚に違和感を感じさせないように無線設定情報を表示することが可能になる。
【００５３】
（第２の実施の形態）
以下、本発明の第２の実施形態について図面を参照して説明する。本実施形態と第１の実施形態と異なる点は、本実施形態では、無線設定情報画像を画像フレームに合成（重畳）して表示する点である。なお、本実施形態における送受信システム１の構成は、第１の実施形態における送受信システム１の構成と同様の構成である。また、本実施形態における送信装置１０の構成は、第１の実施形態における送信装置１０の構成と同様である。また、本実施形態における受信装置２０の構成は、第１の実施形態における受信装置２０の構成と同様の構成である。
【００５４】
次に、受信装置２０が表示する、無線設定情報画像を合成した合成画像フレームについて説明する。図１０は、本実施形態において、受信装置２０が表示する、無線設定情報画像を合成した合成画像フレームの例を示した概略図である。図１０（Ａ）に示す例では、合成画像フレーム１００１の左下の領域に、無線設定情報画像１００２と、無線設定情報画像１００２が含まれていることを示す記号「＋」１００３とが表示されている。また、図１０（Ｂ）に示す例では、合成画像フレーム１００１の右上の領域に、無線設定情報画像１００２と、無線設定情報画像が含まれていることを示す記号「＋」１００３とが表示されている。また、図１０（Ｃ）に示す例では、合成画像フレームの右下の領域に、無線設定情報画像１００２と無線設定情報画像が含まれていることを示す記号「＋」１００３とが表示されている。
【００５５】
受信装置２０が、図１０（Ａ）〜図１０（Ｃ）の順に合成画像フレーム１００１を表示部２２に表示し、前後のフレームと異なる位置に無線設定情報画像１００２が表示されるようにすることで、それぞれの領域においては、２フレーム以上連続して無線設定情報画像１００２が表示されることが無くなる。また、受信装置２０が表示部２２に動画を表示する際のフレームレートは、例えば６０ｆｐｓであるとする。この場合、表示部２２は、１／６０秒（１６ｍｓ）毎にフレームを表示することで動画表示を行う。これにより、本実施形態においても、それぞれの領域において無線設定情報画像１００２が１６ｍｓ程度以下の間だけ表示されるので、人間の目では無線設定情報画像１００２を認識することができない。そのため、前後のフレームで異なる領域に無線設定情報画像１００２を表示した場合、ユーザは、動画像のみを認識することになる。
【００５６】
また、無線設定情報画像１００２を合成する画像フレームの特徴に応じて、無線設定情報画像１００２の大きさを制御するようにしても良い。例えば、画像フレーム内の低輝度領域に無線設定情報画像１００２を合成した場合、高輝度領域に無線設定情報画像１００２を合成した場合よりも目立たないため、画像フレーム内の低輝度領域の大きさにあわせて無線設定情報画像１００２の大きさを調整して表示する。
【００５７】
図１１は、本実施形態において、受信装置２０が表示する、画像フレームの輝度（色配置）に応じた無線設定情報画像の表示例を示した概略図である。図１１（Ａ）に示す例では、無線設定情報画像１００２を合成する領域においては低輝度領域１１０１が大きいため、無線設定情報画像１００２を大きく表示している。また、図１１（Ｂ）に示す例では、無線設定情報画像１００２を合成する領域においては低輝度領域１１０１が小さいため、無線設定情報画像１００２を小さく表示している。なお、輝度の高低判断は任意だが、例えば、画像フレーム内で一番高い輝度値と一番低い輝度値を抽出し、その輝度範囲内において、所定の閾値以下を低輝度と判断するようにしてもよい。また、所定の閾値以下の範囲が無い、又は少なくて設定情報が合成できない場合は、その画像フレームに設定情報を合成しないようにしてもよい。これにより、受信装置２０は、表示部２２に、よりユーザの視覚に違和感を感じさせないように無線設定情報を表示することが可能になる。
【００５８】
また、画像フレーム内の周波数が高い領域（高周波領域）に無線設定情報画像を合成した場合、周波数が低い領域（低周波領域）に無線設定情報画像を合成した場合よりも目立たないため、画像フレーム内の高周波領域の大きさにあわせて無線設定情報画像１００２の大きさを調整して表示するようにしてもよい。周波数の高低判断は輝度高低の方法と同様である。
【００５９】
次に、受信装置２０が、送信装置１０−１から送信される画像データを表示部２２に表示している際に、無線設定情報を表示部２２に表示する手順について説明する。以下、送信装置１０−１と受信装置２０とが無線による通信の接続を確立しており、送信装置１０−１から受信装置２０に画像データを伝送し、受信装置２０は、受信した画像データを表示部２２に表示している際に、受信装置２０と通信を行う送信装置１０を、送信装置１０−１から送信装置１０−２に切り替える例を用いて説明する。
【００６０】
図１２は、本実施形態における受信装置２０が、送信装置１０−１から送信される画像データを表示部２２に表示している際に、無線設定情報画像を表示部２２に表示する手順を示したフローチャートである
【００６１】
（ステップＳ５０１）受信装置２０の制御部２５は、記憶部２４が記憶する無線設定情報を読み出す。その後、ステップＳ５０２の処理に進む。
（ステップＳ５０２）表示制御部２３の設定情報合成部２３１は、ステップＳ５０１で制御部２５が読み出した無線設定情報を無線設定情報画像に変換する。その後、ステップＳ５０３の処理に進む。
（ステップＳ５０３）無線通信部２１はデータ受信を行う。その後、ステップＳ５０４の処理に進む。
【００６２】
（ステップＳ５０４）表示制御部２３は、前フレームで無線設定情報画像を表示した位置とは異なる位置に無線設定情報画像を表示させるように、画像フレーム内に無線設定情報画像を合成する位置を決定する。その後、ステップＳ５０５の処理に進む。
（ステップＳ５０５）表示制御部２３の設定情報合成部２３１は、ステップＳ５０４で決定した、画像フレーム内の位置に、ステップＳ５０２で生成した無線設定情報画像を合成し、合成画像フレームを生成する。その後、ステップＳ５０６の処理に進む。
（ステップＳ５０６）表示制御部２３は、ステップＳ５０５で生成した合成画像フレームを表示部２２に表示する。その後、ステップＳ５０７の処理に進む。
【００６３】
（ステップＳ５０７）制御部２５は、ステップＳ５０３で無線通信部２１が受信したデータが接続要求信号であるか否かを判定する。無線通信部２１が受信したデータが接続要求信号であると制御部２５が判定した場合にはステップＳ５０８の処理に進み、それ以外の場合にはステップＳ５０３の処理に進む。
（ステップＳ５０８）制御部２５は接続処理を行う。その後、処理を終了する。
【００６４】
なお、本実施形態における受信装置２０の接続処理の手順は、第１の実施形態における受信装置２０の接続処理の手順と同様である。また、本実施形態において、受信装置２０に、新たに接続させる送信装置１０の動作手順は、第１の実施形態において、受信装置２０に、新たに接続させる送信装置１０の動作手順と同様である。また、本実施形態における送信装置１０の接続処理の手順は、第１の実施形態における送信装置１０の接続処理の手順と同様である。
【００６５】
上述したとおり、本実施形態によれば、受信装置２０は、画像フレームを表示する際に、前後のフレームと異なる位置に無線設定情報画像を合成して表示させるため、それぞれの領域においては、２フレーム以上連続して無線設定情報画像が表示されることは無い。そのため、前後のフレームで異なる領域に無線設定情報画像を表示した場合、ユーザは、動画像のみ認識することになるので、受信装置２０は、表示部２２の表示領域を無駄にすることなく、無線設定情報を表示することができる。また、送信装置１０は、受信装置２０の表示部２２を撮像するだけで無線設定情報を取得することができるため、ユーザは、送信装置１０の撮像部１１を受信装置２０の表示部２２に対向させて、撮像部１１に表示部２２を撮像させるだけで、簡単かつ確実に送信装置１０と受信装置２０との無線通信の設定を行うことができる。
【００６６】
なお、本実施形態では、画像フレーム内に無線設定情報画像を合成した合成画像フレームを生成し、生成した合成画像フレームを表示部２２に表示するとしたがこれに限らない。例えば、合成画像フレームを表示部２２に表示する代わりに、画像フレームと無線設定情報画像とを表示部２２に同時に表示する（ピクチャー  イン  ピクチャー）ようにしてもよい。
【００６７】
（第３の実施の形態）
以下、本発明の第３の実施形態について図面を参照して説明する。本実施形態と第２の実施形態と異なる点は、本実施形態では、無線設定情報を分割し、分割した無線設定情報ごとに画像に変換して分割無線設定情報画像を生成し、分割無線設定情報画像を画像フレームに合成して表示する点である。
【００６８】
なお、本実施形態における送受信システム１の構成は、第２の実施形態における送受信システム１の構成と同様の構成である。また、本実施形態における送信装置１０の構成は、第２の実施形態における送信装置１０の構成と同様である。また、本実施形態における受信装置２０の構成は、第２の実施形態における受信装置２０の構成と同様の構成である。
【００６９】
次に、受信装置２０が表示する、分割無線設定情報画像を合成した分割合成画像フレームについて説明する。例えば、表示部２２が小さい場合には、無線設定情報画像も小さくなってしまい、送信装置１０が無線設定情報画像を正確に抽出できない場合も考えられる。そのため、送信装置１０の設定情報合成部２３１が、無線設定情報の内容を分割して、分割した無線設定情報ごとに画像に変換して分割無線設定情報画像を生成する。そして、設定情報合成部２３１は、生成した各分割無線設定情報画像が毎フレーム異なる位置に表示されるように調整し、分割無線設定情報画像と画像フレームとを合成し、分割合成画像フレームを生成する。
【００７０】
図１３は、本実施形態において、受信装置２０が表示する、分割無線設定情報画像を合成した分割合成画像フレームの例を示した概略図である。なお、図示する例では、画像データをプログレッシブ方式で表示している。
【００７１】
図１３（Ａ）は、１フレーム目の分割合成画像フレームを示した図である。図示する例では、分割合成画像フレーム１３０１を複数行に分割（１枚の画像フレームで設定情報を合成可能な複数のラインに分割）しており、上から２行目に１個目の分割無線設定情報画像１３０３を表示し、その他の行に画像データ１３０２を表示している。図１３（Ｂ）は、２フレーム目の分割合成画像フレーム１３０１を示した図である。図示する例では、分割合成画像フレーム１３０１を複数行に分割しており、上から３行目に２個目の分割無線設定情報画像１３０３を表示し、その他の行に画像データ１３０２を表示している。図１３（Ｃ）は、Ｎフレーム目の分割合成画像フレーム１３０１を示した図である。図示する例では、分割合成画像フレーム１３０１を複数行に分割しており、下から２行目にＮ個目の分割無線設定情報画像１３０３を表示し、その他の行に画像データ１３０２を表示している。
【００７２】
なお、インターレース方式の場合は、ピクセルごとに偶数・奇数ラインが表示されるため、設定情報画像を合成する際、文字が飛び飛びになる。しかし、送信装置側の画像処理で、一枚の画像フレームにするため、文字認識可能である。
【００７３】
受信装置２０が、図１３（Ａ）、図１３（Ｂ）、・・・、図１３（Ｃ）の順に分割合成画像フレーム１３０１を表示部２２に表示し、前後のフレームと異なる位置に分割無線設定情報画像１３０３が表示されるようにすることで、それぞれの領域においては、２フレーム以上連続して分割無線設定情報画像１３０３が表示されることが無くなる。また、受信装置２０が表示部２２に動画を表示する際のフレームレートは、例えば６０ｆｐｓであるとする。この場合、表示部２２は、１／６０秒（１６ｍｓ）毎にフレームを表示することで動画表示を行う。これにより、本実施形態においても、それぞれの領域において分割無線設定情報画像１３０３が１６ｍｓ程度以下の間だけ表示されるので、人間の目では分割無線設定情報画像１３０３を認識することができない。そのため、前後のフレームで異なる領域に分割無線設定情報画像１３０３を表示した場合、ユーザは、動画像のみを認識することになる。
【００７４】
また、分割無線設定情報画像１３０３に含まれる情報としては、例えば、１個目の分割無線設定情報画像１３０３にはモニタ名が含まれており、２個目の分割無線設定情報画像１３０３にはＭＡＣアドレスが含まれており、３個目の分割無線設定情報画像１３０３には通信チャネル情報が含まれており、４個目の分割無線設定情報画像１３０３にはネットワークＩＤが含まれているとする。なお、無線設定情報を分割して表示する分割無線設定情報画像１３０３においては、一例としてＳＯＦ（Ｓｔａｒｔ  Ｏｆ  Ｆｒａｍｅ）とＥＯＦ（Ｅｎｄ  Ｏｆ  Ｆｒａｍｅ）とを明示することで、分割無線設定情報画像の開始位置と終了位置とを明示するようにしてもよい。ＳＯＦやＥＯＦの明示方法は、例えば、ＳＯＦやＥＯＦを示す文字や記号などを用いる。図１３（Ａ）には、ＳＯＦを明示する記号として、偶数行の上から１行目の先頭に記号「＋」１３０４が表示されている。また、図１３（Ｃ）には、ＥＯＦを明示する記号として、偶数行の下から１行目の最後に記号「＋」１３０５が表示されている。なお、ＳＯＦとＥＯＦとが明示されていないフレームについては、前のフレームに分割無線設定情報画像１３０３が含まれていれば、次のフレームにも分割無線設定情報画像１３０３が含まれているので、特に分割無線設定情報画像１３０３が含まれていることを明示する記号を表示する必要は無い。
【００７５】
次に、送信装置１０が複数の分割無線設定情報画像を撮像し、再構成した無線設定情報画像について説明する。図１４は、本実施形態において、送信装置１０が複数の分割合成画像フレームを撮像し、分割合成画像フレームに基づいて再構成した無線設定情報画像の例を示した概略図である。図示する例は、図１３に示した分割合成画像フレーム１３０１に基づいて、送信装置１０が再構成した無線設定情報画像１４０１の例である。なお、図示する無線設定情報画像１４０１は複数行に分割されており、上から２行目に１個目の分割設定情報１３０３が表示されている。また、上から３行目に２個目の分割無線設定情報画像１３０３が表示されている。他の行については図示するとおりである。
【００７６】
次に、受信装置２０が、送信装置１０−１から送信される画像データを表示部２２に表示している際に、無線設定情報を表示部２２に表示する手順について説明する。以下、送信装置１０−１と受信装置２０とが無線による通信の接続を確立しており、送信装置１０−１から受信装置２０に画像データを伝送し、受信装置２０は、受信した画像データを表示部２２に表示している際に、受信装置２０と通信を行う送信装置１０を、送信装置１０−１から送信装置１０−２に切り替える例を用いて説明する。
【００７７】
図１５は、本実施形態における受信装置２０が、送信装置１０−１から送信される画像データを表示部２２に表示している際に、無線設定情報を表示部２２に表示する手順を示したフローチャートである。
【００７８】
（ステップＳ６０１）受信装置２０の制御部２５は、記憶部２４が記憶する無線設定情報を読み出す。その後、ステップＳ６０２の処理に進む。
（ステップＳ６０２）表示制御部２３の設定情報合成部２３１は、ステップＳ６０１で制御部２５が読み出した無線設定情報を分割し、分割無線設定情報を生成する。その後、ステップＳ６０３の処理に進む。
（ステップＳ６０３）表示制御部２３は、ステップＳ６０２で生成した分割無線設定情報を分割無線設定情報画像に変換する。その後、ステップＳ６０４の処理に進む。
（ステップＳ６０４）無線通信部２１はデータ受信を行う。その後、ステップＳ６０５の処理に進む。
【００７９】
（ステップＳ６０５）表示制御部２３は、前フレームで分割無線設定情報画像を表示した位置とは異なる位置に所定の分割無線設定情報画像を表示させるように、画像フレーム内に分割無線設定情報画像を表示する位置を決定する。その後、ステップＳ６０６の処理に進む。
（ステップＳ６０６）表示制御部２３の設定情報合成部２３１は、ステップＳ６０５で決定した、画像フレーム内の所定位置に、ステップＳ６０３で生成した分割無線設定情報画像を合成し、分割合成画像フレームを生成する。その後、ステップＳ６０７の処理に進む。
（ステップＳ６０７）表示制御部２３は、ステップＳ６０６で生成した分割合成画像フレームを表示部２２に表示する。その後、ステップＳ６０８の処理に進む。
【００８０】
（ステップＳ６０８）表示制御部２３は、ステップＳ６０３で生成した分割無線設定情報画像を表示部２２に全て表示したか否かを判定する。ステップＳ６０３で生成した分割無線設定情報画像を表示部２２に全て表示したと表示制御部２３が判定した場合にはステップＳ６０９の処理に進み、それ以外の場合にはステップＳ６０４の処理に戻る。
（ステップＳ６０９）制御部２５は、ステップＳ６０４で無線通信部２１が受信したデータが接続要求信号であるか否かを判定する。無線通信部２１が受信したデータが接続要求信号であると制御部２５が判定した場合にはステップＳ６１０の処理に進み、それ以外の場合にはステップＳ６０４の処理に戻る。
（ステップＳ６１０）制御部２５は接続処理を行う。その後、処理を終了する。なお、本実施形態における受信装置２０の接続処理の手順は、第２の実施形態における受信装置２０の接続処理の手順と同様である。
【００８１】
次に、受信装置２０に、新たに接続させる送信装置１０の動作手順について説明する。図１６は、本実施形態において、受信装置２０に、新たに接続させる送信装置１０の動作手順を示したフローチャートである。なお、ユーザは、受信装置２０に、新たに送信装置１０を接続させる場合、この送信装置１０の操作部１７を操作し、送信装置１０の動作モードを無線接続設定モードに変更させる。
【００８２】
（ステップＳ７０１）送信装置１０の制御部１４は、動作モードが無線接続設定モードであるか否かを判定する。動作モードが無線接続設定モードであると制御部１４が判定した場合にはステップＳ７０２の処理に進み、それ以外の場合にはステップＳ７０１の処理を再度実行する。
（ステップＳ７０２）ユーザは、送信装置１０の撮像部１１を、接続先の受信装置２０の表示部２２に対向させる。撮像部１１は、受信装置２０の表示部２２の画像を撮像し、被写体の光学像をデジタル信号に変換する。画像処理部１２は、撮像部が変換したデジタル信号から画像データを生成し、生成した画像データの画像処理を行う。その後、ステップＳ７０３の処理に進む。
【００８３】
（ステップＳ７０３）画像処理部１２の設定情報抽出部１２１は、ステップＳ７０２で生成した画像データに分割無線設定情報フレームが含まれているか否かを判定する。ステップＳ７０２で生成した画像データに分割無線設定情報フレームが含まれていると設定情報抽出部１２１が判定した場合にはステップＳ７０４の処理に進み、それ以外の場合にはステップＳ７０２の処理に戻る。
【００８４】
（ステップＳ７０４）設定情報抽出部１２１は、ステップＳ７０２で生成した画像データから分割無線設定情報を抽出する。その後、ステップＳ７０５の処理に進む。具体的な抽出方法としては、例えば、分割無線設定情報がテキストデータである場合には、文字認識処理を用いて分割無線設定情報のテキストデータ情報を生成する。
（ステップＳ７０５）設定情報抽出部１２１は、全ての分割無線設定情報を取得したか否かを判定する。全ての分割無線設定情報を取得したと設定情報抽出部１２１が判定した場合にはステップＳ７０６の処理に進み、それ以外の場合にはステップＳ７０２の処理に戻る。
【００８５】
（ステップＳ７０６）設定情報抽出部１２１は、取得した全ての分割無線設定情報に基づいて、無線設定情報を再構成する。その後、ステップＳ７０７の処理に進む。
（ステップＳ７０７）制御部１４は、ステップＳ７０６で設定情報抽出部１２１が再構成した無線設定情報を記憶部１３に記憶させる。その後、ステップＳ７０８の処理に進む。
（ステップＳ７０８）制御部１４は接続処理を行う。その後、処理を終了する。なお、本実施形態における送信装置１０の接続処理の手順は、第２の実施形態における送信装置１０の接続処理の手順と同様である。
【００８６】
上述したとおり、本実施形態によれば、受信装置２０は、設定情報を分割し、分割した設定情報を分割無線設定情報画像に変換する。また、受信装置２０は、画像フレームを表示する際に、前後のフレームと異なる位置に分割無線設定情報画像を合成して表示させるため、それぞれの領域においては、２フレーム以上連続して分割無線設定情報画像が表示されることは無い。そのため、前後のフレームで異なる領域に分割無線設定情報画像を表示した場合、ユーザは、動画像のみ認識することになるので、受信装置２０は、表示部２２の表示領域を無駄にすることなく、分割無線設定情報を表示することができる。また、本実施形態では、受信装置２０は、分割無線設定情報画像を表示するため、表示部２２の大きさが小さい場合においても、送信装置１０が読み取ることができる大きさで分割無線設定情報を表示することができる
【００８７】
また、送信装置１０は、受信装置２０の表示部２２を撮像するだけで分割無線設定情報を取得し、取得した分割無線設定情報に基づいて無線設定情報を再構築することができるため、ユーザは、送信装置１０の撮像部１１を受信装置２０の表示部２２に対向させて、撮像部１１に表示部２２を撮像させるだけで、簡単かつ確実に送信装置１０と受信装置２０との無線通信の設定を行うことができる。
【００８８】
なお、本実施形態では、常に設定情報を分割して分割無線設定情報画像を生成し、生成した分割無線設定情報画像を表示するとしたが、これに限らない。例えば、表示部２２の大きさと、設定情報を画像化した無線設定情報画像の大きさとを比較し、無線設定情報画像の大きさが表示部２２の大きさの１／２以上であれば、本実施形態のように、設定情報を分割して分割無線設定情報画像を生成して、生成した分割無線設定情報画像を表示し、無線設定情報画像の大きさが表示部２２の大きさの１／２未満であれば、第１の実施形態または第２の実施形態のように無線設定情報画像を表示するようにしてもよい。
【００８９】
以上、この発明の第１〜第３の実施形態について図面を参照して詳述してきたが、具体的な構成はこの実施形態に限られるものではなく、この発明の要旨を逸脱しない範囲の設計等も含まれる。
【符号の説明】
【００９０】
１・・・送受信システム、１０，１０−１，１０−２・・・送信装置、１１，２０１・・・撮像部、１２，２６・・・画像処理部、１３，２４・・・記憶部、１４，２５・・・制御部、１５，２８・・・有線通信部、１６，２１・・・無線通信部、１７，２７・・・操作部、２０・・・受信装置、２２，１０２・・・表示部、２３，１０１・・・表示制御部、１２１・・・設定情報抽出部、２３１・・・設定情報合成部
【図１】
0005710917.tif 000002
【図２】
0005710917.tif 000003
【図３】
0005710917.tif 000004
【図４】
0005710917.tif 000005
【図５】
0005710917.tif 000006
【図６】
0005710917.tif 000007
【図７】
0005710917.tif 000008
【図８】
0005710917.tif 000009
【図９】
0005710917.tif 000010
【図１０】
0005710917.tif 000011
【図１１】
0005710917.tif 000012
【図１２】
0005710917.tif 000013
【図１３】
0005710917.tif 000014
【図１４】
0005710917.tif 000015
【図１５】
0005710917.tif 000016
【図１６】
0005710917.tif 000017
【図１７】
0005710917.tif 000018
【図１８】
0005710917.tif 000019